(57)【特許請求の範囲】
【請求項１】
データキャリアが所定箇所に載置されたことを検出すると、該データキャリアに対して読み出し命令を送信するとともに、該読み出し命令に応じて該データキャリアから送信された相手先電話番号及び通話可能残度数を受信し、該相手先電話番号に基づいて相手先の電話番号を自動的にダイヤルし、通話が開始されると通話時間及び通話地域に基づき該通話可能残度数を減じる演算をするとともに、演算後の通話可能残度数をデータ書き換え命令として該データキャリアに対して送信する電話装置、
相手先および相手先電話番号を選択手段の操作により互いに関連づけて入力し、該相手先及び該相手先電話番号を通話可能残度数とともに記憶データとしてデータ記憶手段内に記憶しておき、該選択手段の操作によって所望の該相手先および相手先電話番号を選択的に取り出して表示手段において該通話可能残度数とともに表示させ、前記読み出し命令に応じ、該表示手段に表示された前記記憶データを送信するとともに、受信した前記書き換え命令に基づいて該通話可能残度数を書き換えるデータキャリア、
を備えたことを特徴とするデータキャリア電話システム。
【発明の詳細な説明】
【０００１】
【産業上の利用分野】
本発明は、データキャリアシステムに関し、特にデータの利用の迅速化に関する。
【０００２】
【従来の技術】
一般に、データキャリアシステムは、コンピュータ、固定的に配置される質問器及び応答器（データキャリア）から構成される。図９にデータキャリアシステムの一例を示す。このデータキャリアシステム２００は、コンピュータ５０、質問器（コントローラ８０、読み出し／書込ヘッド９０）及びデータキャリア（ＩＣカード）１００から構成されている。
【０００３】
このデータキャリアシステム２００の基本的な動作を説明する。コントローラ８０は、コンピュータ５０の命令に基づきデータ書込命令及びデータ読み出し命令等を読み出し／書込ヘッド９０を通じてデータキャリア１００に送信する。コントローラ８０からの送信がデータ読み出し命令の場合、データキャリア１００は該データ読み出し命令に対応して内部メモリに記憶したデータを読み出し／書込ヘッド９０に送信する。
【０００４】
データキャリア１００からのデータは、読み出し／書込ヘッド９０を通じてコントローラ８０に入力し、所定のデータが入力されたか否かを検知された後、コンピュータ５０に転送される。コンピュータ５０は、データキャリア１００からのデータについての処理を行なう。
【０００５】
一方、コントローラ８０からの送信がデータ書込命令の場合、データキャリア１００は読み出し／書込ヘッド９０を通じて送られてきた書込みデータを受信し、該書込みデータを内部メモリに記憶する。
【０００６】
このように、データキャリアシステム２００を用いる事で、データキャリア１００内に記憶されているデータを自在に読み出すことができ、さらに、新たなデータを書込むこともできる。
【０００７】
【発明が解決しようとする課題】
しかしながら、従来のデータキャリアシステムには以下のような問題点があった。従来のデータキャリアシステム２００においては、データキャリア１００内に記憶されているデータ内容を見ようとすると、上述のようにコントローラ８０からデータ読み出し命令を発し、データキャリア１００内に記憶されたデータをコントローラ８０に入力させた後、コンピュータ５０の画面上で表示させていた。
【０００８】
つまり、データキャリア１００内に記憶されたデータを見る場合、必ずコンピュータ５０やコントローラ８０等の周辺機器が必要となる。すなわち、データキャリア１００単体では内部に記憶されたデータを見ることができなかった。
【０００９】
したがって、データキャリア１００内のデータを見るには、データキャリアを必ず周辺機器のある場所まで持参するか又は上記周辺機器をデータキャリアとともに携帯する必要がある。このことから、従来のデータキャリアシステム２００では、データ内容を見ようとすると手間がかかり、データの利用を迅速に行なうことが出来ないという問題があった。
【００１０】
そこで、本発明は、迅速なデータ利用を行なうことが可能なデータキャリアシステムの提供を目的としている。
【００１１】
【課題を解決するための手段】
請求項１のデータキャリア電話システムは、データキャリアが所定箇所に載置されたことを検出すると、該データキャリアに対して読み出し命令を送信するとともに、該読み出し命令に応じて該データキャリアから送信された相手先電話番号及び通話可能残度数を受信し、該相手先電話番号に基づいて相手先の電話番号を自動的にダイヤルし、通話が開始されると通話時間及び通話地域に基づき該通話可能残度数を減じる演算をするとともに、演算後の通話可能残度数をデータ書き換え命令として該データキャリアに対して送信する電話装置、
相手先および相手先電話番号を選択手段の操作により互いに関連づけて入力し、該相手先及び該相手先電話番号を通話可能残度数とともに記憶データとしてデータ記憶手段内に記憶しておき、該選択手段の操作によって所望の該相手先および相手先電話番号を選択的に取り出して表示手段において該通話可能残度数とともに表示させ、前記読み出し命令に応じ、該表示手段に表示された前記記憶データを送信するとともに、受信した前記書き換え命令に基づいて該通話可能残度数を書き換えるデータキャリア、
を備えたことを特徴としている。
【００１４】
【作用】
請求項１に係るデータキャリア電話システムは、データキャリアを電話装置の所定箇所に載置すると、該データキャリアからその表示手段に表示されている相手先電話番号及び通話可能残度数が受信され、該相手先電話番号に基づいて相手先の電話番号が自動的にダイヤルされる。通話が開始されると通話時間および通話地域に基づき該通話可能残度数が減じられ、データキャリアの通話残度数が書き換えられる。したがって、所定の相手先を選択し。、データキャリアを電話装置の所定箇所に載置するだけで該相手先に電話をかけることができ、通話可能残度数も書き換えられる。
【００１６】
【実施例】
本発明に係るデータキャリアシステムの一実施例を説明する。本実施例に係るデータキャリアシステムも、図９に示すデータキャリアシステムと同様に、（制御装置）コンピュータ、（送受信装置）コントローラ及びデータキャリアによって構成されている。
【００１７】
本実施例に係るデータキャリア１１０の外観を図１に掲げる。データキャリア１１０上には、デイスプレイパネル６０、太陽電池パネル６５、第１表示切り換えキー７１及び第２表示切り換えキー７２が設けられている。
【００１８】
データキャリア１１０の内部構成を図２に掲げ、その構造を説明する。データキャリア１１０には、受信手段である書込ヘッド１１５、整流器１２１、太陽電池６５、バンドパスフィルタ（ＢＰＦ）１３１、第１変換手段としての復調器１４５、パラレル／シリアル（ＰＳ／ＳＰ）変換器１５０、制御手段である主制御部１３０、カウンタ１３３、切り換え手段である第１キースイッチ１４７及び第２キースイッチ１４８、記憶手段としてのデータメモリ１３４、ドライバ１３５、表示手段であるデイスプレイ６０、第２変換手段としての変調器１４０、アンプ（ＡＭＰ）１３２、発振器１３６及び送信手段である読み出しヘッド１１６から構成されている。
【００１９】
次に、コントローラ及び読み出し／書込ヘッドの構成を図３に示し、その構造を説明する。コントローラ１８０は、発振器１７１、変調器１７６、ローパスフィルタ（ＬＰＦ）１８１、アンプ（ＡＭＰ）１８２、バンドパスフィルタ（ＢＰＦ）１８３、復調器１７８、信号制御器１７９、パラレル／シリアル（ＰＳ／ＳＰ）変換器１７７、主制御部１７５、上位インターフェイス制御部１７２、ＲＡＭ１７３及び電源ユニット１７４から構成されている。
【００２０】
なお、上位インターフェイス制御部１７２は、コンピュータ（図示せず）に接続されており、電源ユニット１７４はＡＣ電源（図示せず）に接続されている。また、アンプ（ＡＭＰ）１８２は書込ヘッド１９１に接続、バンドパスフィルタ（ＢＰＦ）１８３は、読み出しヘッド１９２に接続されている。
【００２１】
ここで、データキャリア１１０とコントローラ１８０間の通信方法には様々な方式があるが、本実施例ではコントローラ１８０からの送信によりデータキャリア１１０が電力供給を受ける電磁結合方式を用いる。
【００２２】
上記のデータキャリア１１０、コントローラ１８０及び読み出し／書込ヘッド１９０から構成されるデータキャリアシステムの動作について説明する。まず、コントローラ１８０からデータキャリア１１０へのデータ読み出し命令が出力される際の動作を説明する。
【００２３】
コンピュータ（図示せず）は、コントローラ１８０に対してデータ読み出し命令を出力する（図３参照）。このデータ読み出し命令は、コントローラ１８０内の上位インターフェィス制御部１７２に入力する（図３）。上位インターフェィス制御部１７２に入力したデータ読み出し命令（パラレル信号）は、主制御部１７５の制御に基づきＲＡＭ１７３に記憶されるとともに、パラレル／シリアル（ＰＳ／ＳＰ）変換器１７７によってシリアル信号に変換される（図３参照）。
【００２４】
このシリアル信号は、発振器１７１及び変調器１７６によって無線周波からデジタル変調され、ローパスフィルタ（ＬＰＦ）１８１及びアンプ（ＡＭＰ）１８２を通じて書込みヘッド１９１に入力する（図３参照）。書込みヘッド１９１は、デジタル変調されたシリアル信号（データ読み出し信号）をデータキャリア１１０に向けて無線送信する。
【００２５】
次に、データキャリア１１０内での処理及びデータキャリア１１０からコントローラ１８０への送信データ送信について説明する。書込みヘッド１９１からのシリアル信号（データ読み出し信号）は、データキャリア１１０の書込みヘッド１１５で受信され、バンドパスフィルター（ＢＰＦ）１３１を通じて復調器１４５によって復調される（図２参照）。復調されたシリアル信号（データ読み出し信号）は、パラレル／シリアル（ＰＳ／ＳＰ）変換器１５０によってパラレル信号に変換される（図２参照）。
【００２６】
このパラレル信号（データ読み出し信号）は主制御部１３０に入力し、主制御部１３０は読み出し命令に基づき、カウンタ１３３を制御することでデータメモリ１３４内のデータ領域を指定する（図２参照）。次に、主制御部１３０は、指定されたデータ領域に記憶されている記憶データを読み出す（図２参照）。
【００２７】
データメモリ１３４内の指定されたデータ領域から読み出された記憶データは、主制御部１３０の制御によってパラレル／シリアル（ＰＳ／ＳＰ）変換器１５０によってシリアル信号に変換される（図２参照）。シリアル信号は、変調器１４０及び発振器１３６により無線周波からデジタル変換され、アンプ（ＡＭＰ）１３２を通じて読み出しヘッド１１６に入力する（図２参照）。読み出しヘッド１１６は、デジタル変換されたシリアル信号（送信データ）をコントローラ１８０に向けて無線送信する。
【００２８】
次に、コントローラ１８０内での送信データの処理及び書込み命令の送信について説明する。データキャリア１１０の読み出しヘッド１１６からのシリアル信号（送信データ）は、コントローラ１８０の読み出しヘッド１９２で受信され、バンドパスフィルタ（ＢＰＦ）１８３を通じて復調器１７８によって復調される（図３参照）。
【００２９】
復調されたシリアル信号（送信データ）は、パラレル／シリアル（ＰＳ／ＳＰ）変換器１７７によってパラレル信号に変換される（図３参照）。このパラレル信号は主制御部１７５に入力し、主制御部１７５は所望のデータの全てを受信したか否かを判断する（図３参照）。
【００３０】
主制御部１７５が所望データの全てを受信したと判断すると、該データをＲＡＭ１７３に記憶させるとともに、上位インターフェイス制御部１７２を通じてコンピュータに転送する（図３参照）。なお、所望データの全てが受信されていない場合、ＲＡＭ１７３に記憶したデータ読み出し命令を取り出し、データキャリア１１０に対して送信する。
【００３１】
書込み命令を送信する際のコントローラの動作について説明する。データキャリア１１０のデータを書換える場合、コンピュータは書換えようとするデータとデータ書込命令を出力する（図３参照）。このデータとデータ書込命令は、上位インターフェイス制御部１７２を通じて主制御部１７５に入力する（図３参照）。
【００３２】
データ及びデータ書込み命令は、主制御部１７５の制御に基づきＲＡＭ１７３に記憶されるとともに、パラレル／シリアル（ＰＳ／ＳＰ）変換器１７７によってシリアル信号（書込みデータ及びデータ書込み命令）に変換される（図３参照）。ここでもシリアル信号（書込みデータ及びデータ書込み命令）は、変調器１７６及び発振器１７１によって無線周波からデジタル変調され、ローパスフィルタ（ＬＰＦ）１８１及びアンプ（ＡＭＰ）１８２を通じて書込みヘッド１８２に入力する（図３参照）。また、書込みヘッド１９１は、デジタル変調されたシリアル信号（書込みデータ及びデータ書込み命令）をデータキャリア１１０に向けて無線送信する。
【００３３】
次に、データキャリア１１０内でのデータの書換えについて説明する。書込みヘッド１９１からの書込みデータ及びデータ書込み命令は、データキャリア１１０の書込みヘッド１１５で受信され、バンドパスフィルタ（ＢＰＦ）１３１を通じて復調器１４５によって復調される（図２参照）。復調された書込みデータ及びデータ書込み命令は、パラレル／シリアル（ＰＳ／ＳＰ）変換器１５０によってパラレル信号に変換される（図２参照）。
【００３４】
この書込みデータ及びデータ書込み命令は主制御部１３０に入力する（図２参照）。主制御部１３０はデータ書込み命令に基づいて、カウンタ１３３を制御することでデータメモリ１３４内のデータ領域を指定する（図２参照）。
【００３５】
次に、主制御部１３０は、指定されたデータ領域に記憶されている記憶データを、書込みデータに書換える（図２参照）。こうして、データキャリア１１０内の記憶データが新たなデータ（書込みデータ）に書換える。
【００３６】
このようなデータキャリア１１０の実際の操作について説明する。データキャリア１１０内に記憶しているデータの一部は、太陽電池６５の電力によってディスプレイ６０上に表示される。表示データを切り換えるには、第１表示切り換えキー７１を押下する。第１表示切り換えキー７１は、第１キースイッチ１４７に接続されている（図１参照）。
【００３７】
表示切り換えキー７１の押下は、カウンタ１３３を通じて主制御部１３０に入力される（図２参照）。主制御部１３０は、入力された押下に応じてデータメモリ１３４を制御してディスプレイ６０上の表示を切り換え（図１、図２参照）。したがって、所望のデータをディスプレイ６０上で確認することができ、データの利用を迅速に行なうことが可能となる。
【００３８】
また、第２表示切り換えキー７２を押下することで、ディスプレイ上６０の表示のオン／オフを切り換える。第２表示切り換えキー７２は、第２キースイッチ１４８に接続されている（図２参照）。第２表示切り換えキー７２の押下は、主制御部１３０に入力し、ドライバ１３５の駆動を制御する（図２参照）。これによって、ディスプレイ６０の表示のオン／オフを切り換えが自在となる。
【００３９】
このように、本実施例に係るデータキャリアシステムにおいて、データキャリア１１０の所持者は、データキャリア１１０内に記憶されたデータを選択的にディスプレイ６０上に表示させることができる。したがって、データの利用を迅速に行なうことが可能となる。また、データキャリア１１０内に記憶されたデータは、必要に応じて自動的に書換えられ、書換え後のデータをディスプレイ６０上で確認することもできる。
【００４０】
次に、本発明の他の実施例であるデータキャリアシステムによる自動券売機について説明する。本実施例は、データキャリアを鉄道の切符を購入するプリペイドカードに適用した場合である。図４Ａに本実施例に係るデータキャリアシステムのブロック図を示し、プリペイドカードの外観を図４Ｂに掲げる。
【００４１】
コントローラ５２０及び読み出し／書込みヘッド５１０は、券売ユニット５３０と接続されて自動券売機５００内に設けられており、自動券売機５００はプリペイドカード４６０と通信を行なう。プリペイドカード４６０には、デイスプレイ６０、行き先駅入力キー４７０、太陽電池６５及び行き先駅検索キー４１０が設けられている（図４Ｂ）。なお、このプリペイドカード４６０には、予め購入可能残額が記憶されている。
【００４２】
プリペイドカード４６０を用いて、切符を購入する手順を以下に説明する。本実施例においても、プリペイドカードと自動券売機間では上述のデータキャリアシステムで説明したような動作が行なわれる。
【００４３】
まず、切符購入者は切符を購入する際、プリペイドカード４６０の行き先駅入力キー４１０を操作して行き先の駅名コードを入力する（図４Ｂ）。行き先駅名コードを入力した後、行き先駅検索キー４７０を操作することにより、ディスプレイ６０上に、行き先の駅名を表示させる。この時、ディスプレイ６０上にはプリペイドカード４６０の購入可能残額も表示される（図４Ｂ参照）。
【００４４】
次に、切符購入者は、ディスプレイ６０上で行き先駅を確認した後、プリペイドカード４６０を自動券売機５００の所定箇所に挿入する。ここで、自動券売機５００は、プリペイドカード４６０に読み出し信号を出力し、行き先駅を読み出す。自動券売機５００は、プリペイドカード４６０から読み出した行き先駅に基づいて運賃を算出し、切符購入後のプリペイドカード４６０の購入可能残額とともに表示する。
【００４５】
一方、切符購入者は、表示された運賃を確認して自動券売機５００の金額ボタン（図示せず）を押して切符を購入する。切符の発行後、自動券売機５００は切符購入後の購入可能残額をプリペイドカード４６０に書込む（図４Ａ）。すなわち、本実施例に係るデータキャリアシステムによる自動券売機５００においては、従来のように運賃表の中から行き先駅を捜し出し、運賃を確認した後に切符を購入する必要がなく、行き先駅名及びプリペイドカード４６０の購入可能残額をディスプレイ上で確認しつつキップの購入することが出来る。
【００４６】
さらに、本発明の他の実施例であるデータキャリアシステムによる自動改札システムについて説明する。
【００４７】
図５Ａに本実施例に係るデータキャリアシステム（自動改札システム）のブロック図を示し、本実施例に係る定期券６６０の外観を図５Ｂに掲げる。読み出しヘッド６１０及びコントローラ６２０は、自動改札ユニット６３０に接続されて自動改札機７００内に設けられており、自動改札機７００は定期券６６０と通信を行なう（図５Ａ参照）。
【００４８】
定期券６６０には、デイスプレイ６０、乗車駅／列車時刻検索キー６７０、太陽電池６５及び時間問い合わせキー６１０が設けられている（図５Ｂ）。なお、この定期券６６０には、乗車区間、有効期間、乗車区間各駅における時刻表が予め記憶されている。
【００４９】
次に、データキャリア（定期券）の使用について説明する。定期券保持者は、乗車区間内の駅において乗降の際に自動改札機７００に定期券６６０を挿入する必要がない。これは、定期券６６０が自動改札機７００からの読み出し命令に基づき、乗車区間及び有効期間を自動改札機７００に送信しているからである。
【００５０】
自動改札機７００では、送信された読み出し、乗車区間内かつ有効期間内での乗車であるか否かを判断する。自動改札機７００において、乗車区間内かつ有効期間内での乗車であると判断すると、改札口（図示せず）を開く。
【００５１】
一方、乗車区間内かつ有効期間内での乗車でないと判断すると改札口を閉じるとともに、駅員に異常を知らせる。
【００５２】
本実施例の定期券６６０は、上記の機能の他、ディスプレイ６０上で乗車区間内の駅における各駅での時刻表を表示させることができる。例えば、定期券保持者が乗車区間内のある駅で次の列車が到着する時間を知りたいと考えたとする。
【００５３】
この時、定期券保持者は乗車駅／列車時刻検索キー６７０を用いて、乗車する駅を検索する。検索された乗車駅は、ディスプレイ６０上に表示される（図５Ｂ）。
【００５４】
次に、時間問い合わせキー６１０の操作により現在時刻を入力する（図５Ｂ参照）。この入力に基づいて、現在時刻に最も近い列車の時刻がデータメモリ（図示せず）から取り出され、ディスプレイ６０上に表示される。このように、本実施例の定期券６６０では、乗車駅／列車時刻検索キー６７０によって乗車駅を検索し、時間問い合わせキー６１０で現在時刻を入力するだけで現在時刻に最も近い列車の時刻をディスプレイ６０上に表示、確認することができる。したがって、迅速なデータの利用が可能となる。
【００５５】
さらに、本発明の他の実施例であるデータキャリア電話システム電話について説明する。本実施例のデータキャリア電話システムは、電話装置である電話機及びデータキャリア（テレフォンカード）から構成されている（図示せず）。
【００５６】
図６に本実施例に係るテレフォンカードの外観を示す図を掲げる。テレフォンカード２６０上には、デイスプレイパネル６０、電話番号検索キー２３０、太陽電池パネル６５及び電話番号登録キー２１０が設けられている。
【００５７】
上記データキャリア２６０の内部構造を図７に示す。テレフォンカード２６０は、書込ヘッド２１０、整流器２１３、太陽電池６５、バンドパスフィルタ（ＢＰＦ）２１２、復調器２１４、パラレル／シリアル（ＰＳ／ＳＰ）変換器２１５、主制御部２２０、データメモリ２２１、ディスプレイコントローラ２２２、ディスプレイ６０、テンキーコントローラ２２３、電話番号検索キー２１０、発振器２３１、変調器２１６、アンプ（ＡＭＰ）２３２及び読み出しヘッド２１１から構成されている。
【００５８】
図８に電話機３６０の内部構造を示す。電話機３６０は、発振器３６１、変調器３６６、ローパスフィルタ（ＬＰＦ）３７１、アンプ（ＡＭＰ）３７２、書込ヘッド３８１、読み出しヘッド３８２、バンドパスフィルタ（ＢＰＦ）３８３、復調器３６８、パラレル／シリアル（ＰＳ／ＳＰ）変換器３６７、信号制御器３６９、主制御部３６５、２周波トーン発生回路３６２、ＲＡＭ３６３及び電源ユニット３６４から構成されている。なお、２周波トーン発生回路３６２は電話回線４００に接続され、電源ユニット３６４はＡＣ電源（図示せず）に接続されている。
【００５９】
以下、データキャリア電話システム電話の動作を説明する。まず、テレフォンカードに相手先及び相手先電話番号を登録する。テレフォンカード２６０には、予め所定の通話可能残度数が予め記憶されている。この通話可能残度数は、購入元においてテレフォンカード２６０を書込みヘッドに近づけることで記憶される。
【００６０】
テレフォンカード２６０を購入した者（購入者）は、電話番号登録キー２１０を押下し、希望する相手先及びその相手先の電話番号を関連づけて登録する（図６参照）。電話番号登録キー２１０の押下よりテンキーコントローラ２２３に入力された相手先及び相手先の電話番号データは、主制御部２２０の制御により上記通話可能残度数とともにデータメモリ２２１の任意の領域に（記憶データ）として記憶される（図７）。この押下操作を繰り返すことで、必要な数の相手先及び相手先の電話番号のデータがテレフォンカード２６０内に登録される。
【００６１】
次に、テレフォンカード２６０を用いて電話をかける場合について説明する。電話をかける場合、テレフォンカード２６０の購入者は予め所望の相手先及び相手先電話番号を選択してディスプレイ６０上に表示させておく。ここで、ディスプレイ表示の為の電力は太陽電池パネル６５によって作り出された電力によって賄われる。
【００６２】
ここで、電話番号検索キー２３０の押下により、検索命令がテンキーコントローラ２２３に入力する。この検索命令は、さらに主制御部２２０に入力し、主制御部２２０の制御に基づきデータメモリ２２１の指定領域から相手先及び相手先電話番号が取り出される。
【００６３】
取り出された相手先及び相手先電話番号は、主制御部２２０及びディスプレイコントローラ２２２の制御によって通話可能残度数とともにディスプレイ６０上に表示される。このように、電話番号検索キー２３０を押下することでディスプレイ６０上に表示された相手先及び相手先電話番号は、順次切り換わる。
【００６４】
購入者は、表示された相手先及び相手先電話番号が所望のものになるまで、電話番号検索キー２３０の押下を続ける。なお、電話番号検索キー２３０は、ディスプレイ上の表示を先へ進ませるキーと後戻りさせるキーから構成されている。このように、テレフォンカード２６０の購入者は、所望の相手先及び相手先電話番号だけでなく通話可能残度数もディスプレイ６０上で確認することができる（図６）。
【００６５】
上記ように、所望の相手先及び相手先電話番号を表示したテレフォンカード２６０を電話機３６０の所定箇所に載置する（図示せず）。電話機３６０の所定箇所にテレフォンカード２６０が載置されると、電話機３６０側の書込ヘッド３８１からテレフォンカード２６０の書込みヘッド２１０に対しデータ読み出し命令が送信される。なお、ここでの読み出し命令はシリアル信号である。この読み出し命令は、テレフォンカード２６０のバンドパスフィルタ（ＢＰＦ）２１２、復調器２１４、パラレル／シリアル（ＰＳ／ＳＰ）変換器２１５を通じて主制御部２２０に入力される（図７）。
【００６６】
主制御部２２０は、読み出し命令に基づいてディスプレイ６０上に表示されている相手先、相手先電話番号のデータ及び通話可能残度数（記憶データ）をデータメモリ２２１から読み出す。読み出された上記のデータは、主制御部２１５の制御によりパラレル／シリアル（ＰＳ／ＳＰ）変換器２１５、変調器２１６を通じてアンプ（ＡＭＰ）２３２で増幅された後、読み出しヘッド２１１から送信される。なお、送信されたデータはシリアル信号である。
【００６７】
テレフォンカード２６０の読み出しヘッド２１１から送信された相手先、相手先電話番号及び通話可能残度数は、電話機３６０の読み出しヘッド３８２に入力される。これらは、バンドパスフィルタ（ＢＰＦ）３８３、復調器３６８、パラレル／シリアル（ＰＳ／ＳＰ）変換器３６７を通じて主制御部３６５に入力される。
【００６８】
ここで、主制御部３６５は、通話可能残度数が０でないことを確認し、相手先電話番号に基づき２周波トーン発生回路３６２を制御して自動的に相手先にダイヤルする。一方、主制御部３６５は、入力した相手先電話番号及び通話可能残度数をＲＡＭ３６３に記憶する。２周波トーン発生回路３６２による発信により相手先と通話が開始されると、主制御部３６５が通話時間及び通話先の地域に基づき通話可能残度数を逐次減じる演算を行なう。
【００６９】
この演算結果は、主制御部３６５の制御によってＲＡＭ３６３に記憶され、通話が終了したことを検知すると、以下の動作が行なわれる。主制御部３６５は、ＲＡＭ３６３から上記演算後の通話可能残度数を取り出し、パラレル／シリアル（ＰＳ／ＳＰ）変換器３６７、変調器３６６、ローパスフィルタ（ＬＰＦ）３７１を通じてアンプ（ＡＭＰ）３７２で増幅させた後、書込みヘッド３８１からデータ書換え命令を送信する。
【００７０】
データ書換え命令は、テレフォンカード２６０の書込みヘッド２１０で受信され、バンドパスフィルタ（ＢＰＦ）２１２、復調器２１４、パラレル／シリアル（ＰＳ／ＳＰ）変換器２１５を通じて主制御部２２０に入力される。
【００７１】
主制御部２２０は、データ書換え命令とともに送られている演算後の通話可能残度数をデータメモリ２２１の所定箇所に書込む。これにより、データメモリ２２１内に記憶されている通話可能残度数が書換えられる。
【００７２】
このように、本実施例に係るデータキャリア電話システムにおいて、データキャリア（テレフォンカード）２６０の購入者は、テレフォンカード２６０内に任意の相手先及び相手先電話番号を登録でき、ディスプレイ６０上で所望の相手先、相手先電話番号を表示させるだけでなく通話可能残度数も確認することができる。さらに、所望の相手先の電話番号をディスプレイ６０上に表示させた後、該テレフォンカード２６０を電話機３６０の所定箇所に載置するだけで該相手先に電話をかけることができ、しかも、通話終了後、通話可能残度数も自動的に書換えられている。
【００７３】
【発明の効果】
請求項１に係るデータキャリア電話システムは、データキャリアを電話装置の所定箇所に載置すると、該データキャリアからその表示手段に表示されている相手先電話番号及び通話可能残度数が受信され、該相手先電話番号に基づいて相手先の電話番号が自動的にダイヤルされる。通話が開始されると通話時間および通話地域に基づき該通話可能残度数が減じられ、データキャリアの通話残度数が書き換えられる。したがって、所定の相手先を選択し。、データキャリアを電話装置の所定箇所に載置するだけで該相手先に電話をかけることができ、通話可能残度数も書き換えられる。
【００７４】
すなわち、所望の相手先を選択し、データキャリアを電話装置の所定箇所に載置するだけで該相手先に電話を掛けることができ、通話可能残度数も書き換えることが可能となる。
【図面の簡単な説明】
【図１】本発明に係るデータキャリアシステムのデータキャリアの外観図である。
【図２】図１に示すデータキャリの内部構成を示すブロック図である。
【図３】コントローラの内部構成を示すブロック図である。
【図４】本発明に係るデータキャリアシステムの他の実施例である自動券売機とプリペイカードとのブロック図及びプリペイドカードの外観図である。
【図５】本発明に係るデータキャリアシステムの他の実施例である自動改札機と定期券とのブロック図及び定期券の外観図である。
【図６】本発明に係るデータキャリアシステムの他の実施例であるデータキャリア電話システムを構成するテレフォンカードの外観図である。
【図７】図６に示すテレフォンカードの内部構成を示すブロック図である。
【図８】データキャリア電話システムを構成する電話機の内部構成を示すブロック図である。
【図９】
従来のデータキャリアシステムの構成の一例を示す図である。
【符号の説明】
６０・・・・・ディスプレイ
７１・・・・・第一表示切り換え手段
１１０・・・・・データキャリア
【図１】
0003575823.tif 000002
【図２】
0003575823.tif 000003
【図３】
0003575823.tif 000004
【図４】
0003575823.tif 000005
【図５】
0003575823.tif 000006
【図６】
0003575823.tif 000007
【図７】
0003575823.tif 000008
【図８】
0003575823.tif 000009
【図９】
0003575823.tif 000010